(57)【特許請求の範囲】
【請求項１】
シート部材と、
所定の形状からなる単一配線からなる複数の導線パターンを行方向及び列方向に整列した行列として配設し、該行列に含まれる第１の列に所在する各導線パターンの複数の端部が、該第１の列に隣接する第２の列に所在し、該導線パターンと斜め方向に隣接する導線パターンの端部とそれぞれ接続された配線パターン層と、
前記配線パターン層を保護する保護層と
を備えたことを特徴とする切込検知シート。
【請求項２】
前記導線パターンは、螺旋形状からなる単一配線であることを特徴とする請求項１に記載の切込検知シート。
【請求項３】
前記シート部材は表示装置に重畳して配置され、前記導線パターンの整列方向は、前記表示装置の表示素子の配列方向に対して所定の傾きを有することを特徴とする請求項１又は２に記載の切込検知シート。
【請求項４】
前記配線パターン層の抵抗値を計測する計測手段と、
前記計測手段より計測された抵抗値の変化に基づいて、報知処理を行なう報知処理手段と
をさらに備えたことを特徴とする請求項１〜３のいずれか一つに記載の切込検知シート。
【請求項５】
表示装置に重畳して配置されるシート部材と、
前記シート部材上に形成され、所定の形状からなる単一配線からなる複数の導線パターンを行方向及び列方向に整列した行列として配設し、該行列に含まれる第１の列に所在する各導線パターンの複数の端部が、該第１の列に隣接する第２の列に所在し、該導線パターンと斜め方向に隣接する導線パターンの端部とそれぞれ接続された配線パターン層と、
前記配線パターン層の抵抗値を計測する計測手段と、
前記計測手段より計測された抵抗値の変化に基づいて、前記表示装置の表示内容を制御する表示制御手段と
を備えたことを特徴とする切込検知システム。
【請求項６】
前記表示制御手段は、前記表示装置による表示を停止する制御を行なうことを特徴とする請求項５に記載の切込検知システム。
【発明の詳細な説明】
【技術分野】
【０００１】
この発明は、切り込みの発生を検知する切込検知シート及び切込検知システムに関する。
【背景技術】
【０００２】
従来、不審者が窓等に設けたガラス部材を損壊して侵入や盗難を行なうことが問題となっているため、ガラス部材が損壊された際に、該損壊を検知するための技術が考えられている。
【０００３】
例えば、特許文献１には、ガラス板に張付けられる透明又は半透明のフィルムに透明又は半透明の導電性パターンを形成し、該導電性パターンの断線によって異常を検知する技術が開示されている。
【先行技術文献】
【特許文献】
【０００４】
【特許文献１】特開２００６−１８８９２９号公報
【発明の概要】
【発明が解決しようとする課題】
【０００５】
しかしながら、上記特許文献１に代表される従来技術では、侵入や盗難を想定し、ある程度の面積が損壊されるものとして検知を行なっているため、切り込み等の微細な損壊は検知することができない。この点を具体的に説明すると、上記特許文献１では、フィルムの幅に対応する長さの直線状の配線を並行に配置した導電性パターンを使用しているが、かかる導電性パターンでは配線と並行に切り込みを入れられた場合は、切り込みの発生を検知することができない。
【０００６】
切り込みのような微細な損壊の検知が重要なケースとして、表示装置の表示内容を保護する撮像保護シートが切り取られるケースがある。撮像保護シートは、表示装置の表示内容を撮像することで不正に取得することを防ぐため、表示内容を視認可能としつつ、該表示内容を撮像した場合には撮像データに表示内容が残らないようにするシートである。
【０００７】
しかし、表示内容のうち撮像したい範囲の撮像保護シートを切り取れば、切り取られた範囲については撮像が可能となる。この場合には、撮像したい範囲のみ切り取ればよいので、撮像保護シートに対する損壊は非常に小さい。例えば、クレジットカードの番号を撮像する場合には、幅数センチ、高さ数ミリの範囲で撮像保護シートを切り取ればすむのである。
【０００８】
このように、損壊の検知が必要な対象が増え、微細な損壊についても検知することが求められているが、従来のように侵入や盗難を想定した技術では微細な損壊を検知することができないという問題点があった。このため、切り込みのような微細な損壊をいかにして検知するかが重要な課題となっている。
【０００９】
本発明は、上述した従来技術の課題を解消するためになされたものであって、切り込みの発生を検知することのできる切込検知シート及び切込検知システムを提供することを目的とする。
【課題を解決するための手段】
【００１０】
上述した課題を解決し、目的を達成するため、本発明は、シート部材と、所定の形状からなる単一配線からなる複数の導線パターンを行方向及び列方向に整列した行列として配設し、該行列に含まれる第１の列に所在する各導線パターンの複数の端部が、該第１の列に隣接する第２の列に所在し、該導線パターンと斜め方向に隣接する導線パターンの端部とそれぞれ接続された配線パターン層と、前記配線パターン層を保護する保護層とを備えたことを特徴とする。
【００１１】
また、本発明は、上記発明において、前記導線パターンは、螺旋形状からなる単一配線であることを特徴とする。
【００１２】
また、本発明は、上記発明において、前記シート部材は表示装置に重畳して配置され、前記導線パターンの整列方向は、前記表示装置の表示素子の配列方向に対して所定の傾きを有することを特徴とする。
【００１３】
また、本発明は、上記発明において、前記配線パターン層の抵抗値を計測する計測手段と、前記計測手段より計測された抵抗値の変化に基づいて、報知処理を行なう報知処理手段とをさらに備えたことを特徴とする。
【００１４】
また、本発明は、表示装置に重畳して配置されるシート部材と、前記シート部材上に形成され、所定の形状からなる単一配線からなる複数の導線パターンを行方向及び列方向に整列した行列として配設し、該行列に含まれる第１の列に所在する各導線パターンの複数の端部が、該第１の列に隣接する第２の列に所在し、該導線パターンと斜め方向に隣接する導線パターンの端部とそれぞれ接続された配線パターン層と、前記配線パターン層の抵抗値を計測する計測手段と、前記計測手段より計測された抵抗値の変化に基づいて、前記表示装置の表示内容を制御する表示制御手段とを備えたことを特徴とする。
【００１５】
また、本発明は、上記発明において、前記表示制御手段は、前記表示装置による表示を停止する制御を行なうことを特徴とする。
【発明の効果】
【００１６】
本発明によれば、シート部材と、所定の形状からなる単一配線からなる複数の導線パターンを行方向及び列方向に整列した行列として配設し、該行列に含まれる第１の列に所在する各導線パターンの複数の端部が、該第１の列に隣接する第２の列に所在し、該導線パターンと斜め方向に隣接する導線パターンの端部とそれぞれ接続された配線パターン層と、配線パターン層を保護する保護層とを備えるよう構成したので、シートに対する切り込みの発生を検知することができる。
【図面の簡単な説明】
【００１７】
【図１】図１は、実施例に係る切込検知シートを説明するための説明図である。
【図２】図２は、切込検知シートの構造を説明するための説明図である。
【図３】図３は、切込検知シートの導電体の配線パターンを説明するための説明図である。
【図４】図４は、切り込みを検知した場合に警告音を発する切込検知システムの構成を説明するための説明図である。
【図５】図５は、切り込みを検知した場合に表示装置を制御する切込検知システムの構成を説明するための説明図である。
【図６】図６は、切込検知の具体例を説明するための説明図である。
【図７】図７は、矩形領域間の接続を説明するための説明図である。
【図８】図８は、矩形領域のグループ分けを説明するための説明図である。
【図９】図９は、グループ分けを行なった場合の等価回路図である。
【図１０】図１０は、図５に示した切込検知システムの処理手順を示すフローチャートである。
【発明を実施するための形態】
【００１８】
以下に、添付図面を参照して、本発明に係る切込検知シート及び切込検知システムの好適な実施例を詳細に説明する。以下に示す実施例では、本発明に係る切込検知シート及び切込検知システムを切込検知シートに適用した場合について説明する。
【実施例】
【００１９】
まず、本実施例に係る切込検知シートについて説明する。図１は、本実施例に係る切込検知シートを説明するための説明図である。切込検知シート３０は、撮像保護シート２０に重ねあわされ、撮像保護シート２０に対して切り込みが行われたことを検知するシートである。
【００２０】
撮像保護シート２０は、表示装置１０に貼り付けられ、表示装置１０の表示内容を保護するシートである。具体的には、撮像保護シート２０は、表示装置１０の表示面が発する光により光励起され、近赤外線を照射することで光学的なノイズを発生させる。このため、カメラ４０により表示装置１０を撮像し、表示装置１０が表示した内容（コンテンツ）を不正に取得しようとしたとしても、近赤外線の光学的ノイズによりコンテンツの取得が妨げられる。
【００２１】
しかし、表示内容のうち撮像したい範囲の撮像保護シート２０を切り取れば、切り取られた範囲については光学的なノイズが発生せず、撮像によりコンテンツの取得が可能となる。そこで、本実施例では、切込検知シート３０により撮像保護シート２０に対する切り込みを検知し、切り込みが行われた場合には、警報やコンテンツの表示停止などを行って、撮像によるコンテンツの不正な取得を防止する。
【００２２】
図２は、切込検知シート３０の構造を説明するための説明図である。図２に示すように切込検知シート３０は、シート素材３５に、配線パターン層３６及び保護層３７を形成した積層構造を有する。
【００２３】
シート素材３５は、表示装置１０による表示内容を透過する透明な素材であり、透明性が高く、屈曲性を有するＰＥＴ（ポリエチレンテレフタレート）等を用いることが好ましい。配線パターン層３６は、銀線等の導電体の導線パターン３６ａを形成した層である。保護層３７は、配線パターン層３６の形成後に形成され、導線パターン３６ａを保護する層である。保護層３７としては、シート素材３５と同じＰＥＴ（ポリエチレンテレフタレート）等を用いればよい。なお、切込検知シート３０の形成方法は本実施例に限定されるものではなく、導線パターン３６ａが形成されており、透明性が高く、屈曲性を有するシートであればよい。
【００２４】
切込検知シート３０に対して切り込みが行われると、導電体の導線パターン３６ａが切断され、配線パターン層３６の抵抗値が上昇する。このため、配線パターン層３６の抵抗値を監視し、抵抗値の上昇を検知することにより切り込みの発生を検知することができる。
【００２５】
図３は、切込検知シート３０の導電体の配線パターンを説明するための説明図である。図３に示すように、切込検知シート３０には、所定の形状からなる単一配線としての導線パターンを複数行かつ複数列整列して配設している。この導線パターンにより、シート面は、１辺８．５ｍｍの複数の矩形領域に分割された形となる。このように、１辺８．５ｍｍの複数の矩形領域に分割された切込検知シート３０は、８．５ｍｍ以上の切り込みが行われたことを検知することができる。矩形領域の一辺の長さは、８．５ｍｍに限定されるものではなく、必要な検知感度と視認性（透過率）によって適宜設定することができる。検知の感度を上げる場合は矩形領域の一辺を短くし、感度よりも視認性を重視する場合は矩形領域の一辺を長くすればよい。
【００２６】
矩形領域は、複数行かつ複数列整列して配設された形となる。このため、隣接する矩形領域とは、辺及び頂点が接する。また、矩形領域の各頂点は、隣接する矩形領域以外に、頂点のみが他の矩形領域と接する。
【００２７】
各矩形領域内の配線パターンは、１本の配線を螺旋状に配置した形状であり、配線の２つの端部は、同一の辺の異なる頂点から引き出される。配線の端部は、頂点のみが接する隣接しない矩形領域の配線の端部と接続される。このように、複数の矩形領域が有する配線は、直列に接続される。
【００２８】
図３に示す例では、配線の端部Ａは、４つの矩形領域を直列に接続した後、端部Ｂに至る。この端部Ａから端部Ｂまでの配線は、他の配線と接することがない。また、矩形領域間の接続では、隣接しない矩形領域と接続するため、配線が直線となる長さは最大で８．５ｍｍである。このため、８．５ｍｍ以上の直線形状の切り込みが発生したならば、いずれかの位置で配線を切断するので、配線の抵抗値が上昇する。したがって、かかる配線パターンでは、８．５ｍｍ以上の切り込みが検知できることとなる。
【００２９】
配線の間隔は０．５ｍｍである。また、矩形領域の辺は、切込検知シート３０の辺に対して３５°の角度を有する。このように角度を設けるのは、表示装置１０による表示出力にモアレが発生することを防止するためである。
【００３０】
表示装置１０は液晶ディスプレイであり、表示素子を縦横に規則的に配列した構造を有する。表示装置１０における表示素子の配列方向と切込検知シート３０の配線の方向とが一致すると、表示素子の周期と配線の周期とのズレにより、モアレ（干渉縞）が発生する。
【００３１】
モアレが発生すると、表示装置１０が表示出力したコンテンツの視認性が損なわれるので、切込検知シート３０の配線の方向に角度を持たせることで、表示装置１０における表示素子の配列方向と方向成分を分散させ、モアレの発生を抑制する。配線方向に持たせる角度は本実施例では３５°としているが、モアレの抑制を実現できる角度であれば任意の角度を用いることができる。
【００３２】
次に、切込検知システムの構成について説明する。図４は、切り込みを検知した場合に警告音を発する切込検知システムの構成を説明するための説明図である。図４に示す切込検知システムは、切込検知シート３０に計測部３１及び報知部３２を接続した構成を有する。
【００３３】
計測部３１は、切込検知シート３０の配線の端部Ａ及びＢと接続し、端部Ａと端部Ｂとの間の抵抗値を計測する。報知部３２は、計測部３１により計測された抵抗値が所定の閾値を超えた場合に報知処理を行う処理部である。この報知処理は、スピーカによる警告音声の出力等を用いることができる。
【００３４】
このように、配線の抵抗値が閾値を超えた場合に報知を行う切込検知システムは、簡易な構成で実施が可能である。かかる構成に必要な計測部３１及び報知部３２を切込検知シート３０に接続することで、他の装置と接続することなく独立して切り込みの発生を報知することができる。
【００３５】
図５は、切り込みを検知した場合に表示装置１０を制御する切込検知システムの構成を説明するための説明図である。図５に示す切込検知システムは、切込検知シート３０と、計測部３１と、コンピュータ５０と、入力装置６０と、表示装置１０とを有する。
【００３６】
計測部３１は、切込検知シート３０の配線の端部Ａ及びＢと接続し、端部Ａと端部Ｂとの間の抵抗値を計測する。コンピュータ５０は、計測部３１、入力装置６０及び表示装置１０と接続する。入力装置６０は、キーボードやマウス等の入力機器である。
【００３７】
コンピュータ５０は、記憶部５１及び制御部５２を有する。記憶部５１は、ハードディスク装置や不揮発性メモリ等の記憶デバイスであり、表示装置１０に表示させるコンテンツデータ等を記憶する。
【００３８】
制御部５２は、コンピュータ５０を全体制御する制御部であり、切込判定部５３及び表示制御部５４を有する。実際には、これらの機能部に対応するプログラムを図示しないＲＯＭや不揮発性メモリに記憶しておき、これらのプログラムをＣＰＵ（Central Processing Unit）にロードして実行することにより、切込判定部５３及び表示制御部５４にそれぞれ対応するプロセスを実行させることになる。
【００３９】
切込判定部５３は、計測部３１により計測された抵抗値に基づいて、切込検知シート３０に対して切り込みが行われたか否かを判定する。具体的には、切込判定部５３は、計測部３１により計測された抵抗値を所定の閾値と比較し、抵抗値が所定の閾値を超えた場合に切込検知シート３０に対して切り込みが行われたと判定する。または、計測開始後、数秒分の抵抗値を平均して初期抵抗値とし、計測部３１により計測された抵抗値と初期抵抗値との差分値が閾値を超えた場合に切込検知シート３０に対して切り込みが行われたと判定してもよい。また、周囲の環境や切り込み検知シート３０の個体差を考慮すると、キャリブレーションによる補正を行なって抵抗値の変化をみることが好適である。なお、切り込みによる配線の切断に長い時間を掛けると、切断による抵抗値の変化速度が遅くなり、切断を見逃す可能性があるため、計測した抵抗値による閾値との比較と、差分値による閾値との比較を併用することが望ましい。
【００４０】
表示制御部５４は、表示装置１０に表示する表示内容を制御する制御部である。具体的には、表示制御部５４は、入力装置６０による入力に基づいて表示装置１０に表示するコンテンツデータを選択し、表示装置１０に送信する。
【００４１】
また、表示制御部５４は、切込判定部５３により切り込みが行われたと判定された場合に、表示装置１０に表示する表示内容を変更し、撮像により表示内容が取得されることを防止する。具体的には、表示制御部５４は、重要な情報を含まない無意味なコンテンツデータを表示装置１０に表示制御する。
【００４２】
なお、切り込みが行われた場合に撮像による表示内容の不正取得を防止する方法としては、無意味なコンテンツデータを表示する以外にも、警告画面を表示する、表示出力を停止する、表示装置１０の動作を終了させる等、任意の方法を用いることができる。
【００４３】
次に、切込検知の具体例について説明する。図６は、切込検知の具体例を説明するための説明図である。図６（ａ）は、表示装置１０にクレジットカードの番号を表示した状態を示している。
【００４４】
クレジットカード番号は、２０インチのＦｕｌｌＨＤディスプレイに文字サイズを１０ポイントで表示すると、1文字辺り１ｍｍ四方の大きさで表示されることとなる。一般的に、クレジットカード番号は１６桁の数字と３つの区切り記号の合計１９文字で構成される。そこで、切込検知シート３０により約２０ｍｍの切り込みを検知すれば、クレジットカードを撮像して不正に取得することを意図した切り取りを検知できる。
【００４５】
矩形領域内に螺旋状に配線パターンを形成し、矩形領域間を互い違いに接続した構成では、上述したように矩形領域の辺の長さ以上の直線が存在しないため、矩形領域の辺の長さが検知可能な切り込みの長さとなる。本実施例では、矩形領域の１辺を８．５ｍｍとし、８．５ｍｍ以上の切り込みが行なわれたことを検知できるため、クレジットカード番号の撮像を意図した２０ｍｍの切り込みを十分に検知可能である。
【００４６】
切込検知シート３０により切り込みの発生を検知した場合には、図６（ｂ）に示すようにクレジットカード番号を含まない無意味なコンテンツを表示することによりクレジットカード番号の撮像を回避することができる。また、図６（ｃ）に示すように、表示装置１０の電源を落として、表示自体が不可能な状態とすることで、クレジットカード番号の撮像を回避してもよい。
【００４７】
次に、矩形領域間の接続について説明する。図７は、矩形領域間の接続を説明するための説明図である。図７に示すように、切込検知シート３０のシート端部３０ａ及び３０ｂでは、図中で太線により示したように、矩形領域から引き出した配線の端部を隣接矩形領域から引き出した配線と接続する。かかる接続により、矩形領域間で配線の折り返しを行なうことができる。
【００４８】
また、切込検知シート３０のシート端部３０ｃでは、図中で太線により示したように、矩形領域から引き出した配線の端部の一方を隣接矩形領域から引き出した配線と接続するとともに、図中で太線により示したように、矩形領域から引き出した配線の他方については隣接矩形領域を超えて他の矩形領域から引き出した配線と接続する。
【００４９】
このように、切込検知シート３０のシート端部では、隣接する矩形領域間での配線接続や、隣接する矩形領域を超えた他の矩形領域との配線接続を行なうことで配線の折り返しを行なうので、切込検知シート３０に設けた全ての配線パターンを直列に接続し、単一の抵抗として扱うことが可能である。
【００５０】
なお、シートの端部において隣接する矩形領域を超えて配線を行なった場合には、かかる配線を検知範囲外として設定する。構成によっては、隣接する２つの矩形の隣を直線的に配線することになる可能性があり、その部分の検知感度が低下するおそれがあるためである。したがって、切込検知シート３０の有効な検知範囲は、図７に示すようにシート端部を除外した範囲内となる。
【００５１】
次に、矩形領域のグループ分けについて説明する。図８は、矩形領域のグループ分けを説明するための説明図である。上述したように、切込検知シート３０に設けた全ての矩形領域を直列に接続して単一の抵抗として用いることもできるが、切込検知シート３０に設けた矩形領域を複数のグループに分け、同一グループに属する矩形領域を直列に接続するとともに、各グループを並列接続してもよい。このように矩形領域をグループ分けするのは、全ての矩形領域を直列に接続すると、総抵抗値が大きくなり、抵抗検知器側の構成が簡易でなくなる可能性があるためである。また、製造上の問題として、全ての矩形領域を直列に接続すると、総配線長が長くなるために配線パターンの生成が困難となることからも、矩形領域のグループ分けは有効である。
【００５２】
図８に示す例では、切込検知シート３０に設けた矩形領域をグループＧ１〜Ｇ４の４つのグループにグループ分けしている。このとき、同一グループに属する全ての矩形領域が直列に接続可能となるようにグループ分けを行なう。また、各グループに属する矩形領域の数は、なるべく近くなるようにする。各グループに属する矩形領域の数を揃えることは、上述した総抵抗値及び総配線長の抑制に有効である。
【００５３】
切込検知シート３０は、正極３３及び負極３４を有する。正極３３には正極配線３３ａを接続し、負極３４には負極配線３４ａを接続する。正極配線３３ａはグループＧ１に属する矩形領域の１つと、グループＧ２に属する矩形領域の１つと、グループＧ３に属する矩形領域の１つと、グループＧ４に属する矩形領域の１つとに接続する。同様に、負極配線３４ａはグループＧ１に属する矩形領域の１つと、グループＧ２に属する矩形領域の１つと、グループＧ３に属する矩形領域の１つと、グループＧ４に属する矩形領域の１つとに接続する。図８では、正極配線３３ａ又は負極配線３４ａと接続された矩形領域を網掛で示している。
【００５４】
各グループにおいて、正極配線３３ａが接続された矩形領域から負極配線３４ａが接続された矩形領域までは、同一グループ内の全ての矩形領域を直列に接続する形となる。グループＧ１の抵抗値をＲ（Ｇ１）、グループＧ２の抵抗値をＲ（Ｇ２）、グループＧ３の抵抗値をＲ（Ｇ３）、グループＧ４の抵抗値をＲ（Ｇ４）とすると、図８に示した切込検知シート３０の等価回路は、図９に示すように、Ｒ（Ｇ１）、Ｒ（Ｇ２）、Ｒ（Ｇ３）、Ｒ（Ｇ４）を並列接続した回路となる。
【００５５】
図９に示すように、Ｒ（Ｇ１）、Ｒ（Ｇ２）、Ｒ（Ｇ３）、Ｒ（Ｇ４）を並列接続すると、合成抵抗Ｒは
１／Ｒ＝１／Ｒ（Ｇ１）＋１／Ｒ（Ｇ２）＋１／Ｒ（Ｇ３）＋１／Ｒ（Ｇ４）
により算出される。
【００５６】
ここで、各グループに属する矩形領域の数が等しければ、Ｒ（Ｇ１）＝Ｒ（Ｇ２）＝Ｒ（Ｇ３）＝Ｒ（Ｇ４）であるので、
Ｒ＝Ｒ（Ｇ１）／４
となる。ここで、「４」はグループ数である。
【００５７】
切り込みによりいずれかのグループの配線が切断されると、切断された配線に対応する抵抗が取り外された状態、すなわち抵抗の並列数が「１」減少した状態となる。従って、抵抗値の変化ΔＲは、
ΔＲ＝Ｒ（Ｇ１）／４  −  Ｒ（Ｇ１）／（４−１）
となる。
【００５８】
このように、切り込みが行なわれた場合の抵抗値の変化量は、抵抗の並列数、即ちグループ数に依存するので、グループ分けを行なう際のグループ数は、抵抗値の変化を測定可能な範囲で設定することが求められる。
【００５９】
図８及び図９では、矩形領域をグループに分ける場合に、各グループに属する矩形領域の数を揃えて各グループの抵抗値を一致させる場合について説明したが、各グループに属する矩形領域の数を異ならせたり、追加の抵抗成分を持たせることでグループ毎に異なる抵抗値を持たせてもよい。例えば、４つのグループの抵抗値を
Ｒ（Ｇ１）＜Ｒ（Ｇ２）＜Ｒ（Ｇ３）＜Ｒ（Ｇ４）
となるよう設定し、各抵抗値が既知であるならば、合成抵抗の変化量からいずれのグループで切り込みが発生したかを特定することができる。すなわち、各グループに対応する複数の検知領域を設けることができる。
【００６０】
次に、図５に示した切込検知システムの処理手順を説明する。図１０は、図５に示した切込検知システムの処理手順を示すフローチャートである。図１０に示すように、計測部３１は、切込検知シート３０の抵抗値を計測する（ステップＳ１０１）。コンピュータ５０は、計測部３１が計測した抵抗値を取得して、切込判定部５３により切り込みが発生したか否かを判定する。
【００６１】
具体的には、切込判定部５３は、計測部３１が計測した抵抗値が所定の閾値を超えるか否かを判定する（ステップＳ１０２）。抵抗値が所定の閾値以下であるならば（ステップＳ１０２；Ｎｏ）、ステップＳ１０１に移行し、計測部３１による切込検知シート３０の抵抗値の計測を行なう。
【００６２】
一方、抵抗値が所定の閾値を超えたならば（ステップＳ１０２；Ｙｅｓ）、表示制御部５４は、表示装置１０に重要な情報を含まない無意味なコンテンツを表示させ（ステップＳ１０３）、処理を終了する。
【００６３】
なお、図１０では、計測部３１により計測された抵抗値を所定の閾値と比較することで切込検知シート３０に対して切り込みが行われたか否かを判定する場合について説明したが、上述したように、計測された抵抗値と初期抵抗値との差分値を閾値と比較することで切り込みが行なわれたか否かを判定してもよいし、キャリブレーションによる補正を行ってもよい。また、計測した抵抗値による閾値との比較と、差分値による閾値との比較を併用して切り込みが行なわれたか否かを判定してもよい。
【００６４】
上述してきたように、本実施例では、切込検知シート３０に、所定の形状からなる単一配線としての導線パターンを複数行かつ複数列整列して配設するとともに、行方向又は列方向に隣接せず、かつ、配線長が所定長未満となる導線パターン間の端部を接続した配線パターン層を設け、配線パターン層の抵抗値の変化を検知するよう構成したので、切込検知シート３０に対する切り込みの発生を検知することができる。
【００６５】
また、１本の配線を螺旋状に配置した導線パターンにより矩形領域を形成し、複数の矩形領域間を直列に接続するよう構成したので、簡易な導線パターンで配線の抵抗値を大きくすることができる。また、どのような場所や角度で切り込みが入れられたとしても、矩形領域の長さ以上の切り込みであれば、検知することが可能である。
【００６６】
また、表示装置１０の表示素子の配列方向に対して角度を設けて導線パターンを配設したので、表示装置１０の表示内容にモアレが発生することを防止することができる。また、配線パターン層はシートの片面のみでよいので、両面の配線が必要な構成に比して製造コストを低減することができる。
【００６７】
また、切り込みを検知した場合に報知する簡易な構成では、他の装置と接続することなく切り込みの検知から報知までを行なうことが可能である。一方、コンピュータ５０のように他の装置と接続したならば、切り込みを検知した場合に表示装置１０による表示内容の制御や表示装置１０の電源ダウンなど多様な対応を取ることが可能である。
【００６８】
なお、上記実施例は本発明を限定するものではなく、構成及び動作を適宜変更して実施することができる。例えば、上記実施例では、切込検知シートを矩形領域に分割するよう導線パターンを配置する場合について例示したが、円形の領域や六角形の領域等、任意の形状の領域となるよう導線パターンを配置するようにしてもよい。
【００６９】
また、上記実施例では、各領域内において矩形の螺旋状に配線を配置したが、１本の配線が他の配線と接することなく配置できる限り、任意の配置で配線を行なうことができる。
【００７０】
また、上記実施例では、液晶ディスプレイにおけるモアレの発生を回避する場合を例示したが、ＣＲＴ(Cathode Ray Tube)ディスプレイや、有機ＥＬ（Electro-Luminescence）ディスプレイ等、他のディスプレイを用いる場合であってもモアレの発生を回避するために、配線パターンに角度を持たせることが好適である。
【００７１】
また、上記実施例では、表示装置１０の表示面全体を撮像保護シート２０及び切込検知シート３０で被覆する場合を例示したが、重要な情報が表示面上の特定箇所にのみ表示される場合には、該重要な情報が表示される箇所に対して選択的に撮像保護シート２０及び切込検知シート３０による被覆を行えばよい。具体的には、金融機関の現金自動預け払い機（Automatic Teller Machine）等では、暗証番号の入力に使用される画面上の位置は固定されているので、暗証番号の入力に使用される位置のみ撮像保護シート２０及び切込検知シート３０で被覆して保護すればよい。
【００７２】
また、本発明は、表示装置１０に対して使用する場合に限らず、様々な用途に使用可能である。展示物の周囲を切込検知シート３０で円筒状に囲めば、展示物に対する保護を実現することができる。また、商品の包装に切込検知シート３０を使用すれば、商品の保護を実現することができる。
【産業上の利用可能性】
【００７３】
本発明に係る切込検知シート及び切込検知システムは、シートに対する切り込みの発生を検知する場合に適している。
【符号の説明】
【００７４】
１０  表示装置
２０  撮像保護シート
３０  切込検知シート
３１  計測部
３２  報知部
３３  正極
３３ａ  正極配線
３４  負極
３４ａ  負極配線
３５  シート素材
３６  配線パターン層
３６ａ  導線パターン
３７  保護層
４０  カメラ
５０  コンピュータ
５１  記憶部
５２  制御部
５３  切込判定部
５４  表示制御部
６０  入力装置
【図１】
0005878413.tif 000002
【図２】
0005878413.tif 000003
【図３】
0005878413.tif 000004
【図４】
0005878413.tif 000005
【図５】
0005878413.tif 000006
【図６】
0005878413.tif 000007
【図７】
0005878413.tif 000008
【図８】
0005878413.tif 000009
【図９】
0005878413.tif 000010
【図１０】
0005878413.tif 000011